(57)【要約】【課題】例えば充電式腕時計において、二次電池を充電して正しく満充電とする。【解決手段】充電器Ｂで充電する二次電池３３を備える被充電装置において、二次電池の満充電を検出する満充電検出手段と、その満充電検出手段で満充電を検出したとき電流負荷を作動して充電電流を消費するように制御するマイコン３２とを備える。満充電検出手段としては、二次電池の電圧を検出する電圧検出素子３１を備える。電流負荷としては、充電状態を表示する、第２光源１８のような表示手段を備える。【選択図】　　　　図３
2004056908.tif 000002
【特許請求の範囲】
【請求項１】
充電器で充電する二次電池を備える被充電装置において、二次電池の満充電を検出する満充電検出手段と、その満充電検出手段で満充電を検出したとき電流負荷を作動して充電電流を消費するように制御するマイコンとを備えることを特徴とする、被充電装置。
【請求項２】
前記満充電検出手段として、前記二次電池の電圧を検出する電圧検出素子を備えることを特徴とする、請求項１に記載の被充電装置。
【請求項３】
前記電流負荷として、充電状態を表示する表示手段を備えることを特徴とする、請求項１に記載の被充電装置。
【請求項４】
前記表示手段として、光源を備えることを特徴とする、請求項３に記載の被充電装置。
【請求項５】
請求項１ないし４のいずれかに記載の被充電装置を備えることを特徴とする、充電式腕時計。
【請求項６】
電磁誘導方式を用いて充電を行うことを特徴とする、請求項５に記載の充電式腕時計。
【発明の詳細な説明】
【０００１】
【発明の属する技術分野】
この発明は、例えば電磁誘導方式を用いて充電器で充電回路の二次電池を充電する被充電装置に関する。および、そのような被充電装置を備える充電式腕時計に関する。
【０００２】
【従来の技術】
従来、電磁誘導方式の充電式腕時計では、充電器で交流磁界を発生し、その交流磁界で充電回路の二次コイルに交流電流を生じ、その交流電流を直流電流に変換して二次電池を充電していた。そして、このような充電式腕時計では、二次電池の満充電時に充電回路を切断して二次電池の過充電を防止していた。
【０００３】
【発明が解決しようとする課題】
ところが、二次電池が満充電と判断して充電回路を切断したとき、その後二次電池内部が飽和して再度充電可能状態となり、正しく満充電とならないことがあった。
【０００４】
そこで、この発明の第１の目的は、満充電後の充電電流を有効利用しながら、二次電池を充電して正しく満充電とすることにある。
【０００５】
この発明の第２の目的は、簡単な構成で、二次電池の満充電を検出することにある。
【０００６】
この発明の第３の目的は、充電電流を用いて満充電を報知することで、満充電後の充電電流を有効利用することにある。
【０００７】
この発明の第４の目的は、上記目的を達成した被充電装置を備える充電式腕時計を得ることにある。
【０００８】
【課題を解決するための手段】
そのため、請求項１に記載の発明は、上述した第１の目的を達成すべく、充電器で充電する二次電池を備える被充電装置において、二次電池の満充電を検出する満充電検出手段と、その満充電検出手段で満充電を検出したとき電流負荷を作動して充電電流を消費するように制御するマイコンとを備える、ことを特徴とする。
【０００９】
請求項２に記載の発明は、上述した第２の目的を達成すべく、請求項１に記載の被充電装置において、満充電検出手段として、二次電池の電圧を検出する電圧検出素子を備える、ことを特徴とする。
【００１０】
請求項３に記載の発明は、上述した第３の目的を達成すべく、請求項１に記載の被充電装置において、電流負荷として、充電状態を表示する表示手段を備える、ことを特徴とする。
【００１１】
請求項４に記載の発明は、上述した第３の目的を達成すべく、請求項３に記載の被充電装置において、表示手段として、光源を備える、ことを特徴とする。
【００１２】
請求項５に記載の発明は、上述した第４の目的を達成すべく、充電式腕時計において、請求項１ないし４のいずれかに記載の被充電装置を備える、ことを特徴とする。
【００１３】
請求項６に記載の発明は、上述した第４の目的を達成すべく、充電式腕時計において、電磁誘導方式を用いて充電を行う、ことを特徴とする。
【００１４】
【発明の実施の形態】
以下、図面を参照しつつ、この発明の実施の形態につき説明する。
図１には、電磁誘導方式を用いて充電を行う充電式腕時計Ａを示す。
【００１５】
充電式腕時計Ａは、時計バンド１１を取り付けた腕時計ケース１０の外周から、頭部を突出するかたちでリュウズ１２およびスイッチ１３を設ける。また、腕時計ケース１０周囲に隠れるようにして、腕時計Ａの内部を照らす第１光源１４を３つ備える。一方、内部に文字板１５を設け、その上で時針１６および分針１７を回動自在とする。文字板１５には３つの丸孔をあけ、それらの丸孔を透して露出して、腕時計Ａの外部を照らす第２光源１８を備える。第１の光源１４および第２光源１８は、ともに、例えばＬＥＤを用いてつくる。
【００１６】
図２には、図１に示す充電式腕時計Ａを充電する充電器Ｂを示す。
充電器Ｂは、全体コの字形状をなし、充電するとき充電式腕時計Ａの腕時計ケース１０部分を載せる載置台２０を設け、また先端のコネクタ２１をＡＣ電源に電気接続するＡＣコード２２をのばす。
【００１７】
図３には、それら充電式腕時計Ａおよび充電器Ｂの電気ブロック図を示す。
充電式腕時計Ａは、ムーブメント３０に、電圧検出素子（満充電検出手段）３１、マイコン３２、二次電池３３、整流回路３４を接続し、整流回路３４に二次コイル３５を接続する。一方、充電器Ｂには、一次コイル３６に整流回路３７を接続し、整流回路３７にＡＣコード２２を接続する。
【００１８】
そして、ＡＣコード２２を介して供給されるＡＣ電流を整流回路３７で整流して一次コイル３６で交流磁界を発生する。この交流磁界により、充電式腕時計Ａの二次コイル３５に交流電流を発生し、整流回路３４で整流して直流電流として二次電池３３を充電する。
【００１９】
電圧検出素子（満充電検出手段）３１は、このとき二次電池３３の満充電を検出する。電圧検出素子３１で満充電を検出したときは、マイコン３２で制御して第２光源１８を点灯して充電電流を消費する。
【００２０】
図４には、図１の充電式腕時計に備えるスイッチ１３と第１光源１４および第２光源１８とのタイミングチャートを示す。
【００２１】
この図４から判るとおり、スイッチ１３を一度押すと、第１光源１４を点灯し、二度押すと、第１光源１４を消灯して第２光源１８を点灯する。第２光源１８の点灯中に再度スイッチ１３を押すと、第２光源１８も消灯する。第１光源１４の点灯中にスイッチ１３を押さないと、一定時間経過後、第１光源１４を消灯する。第２光源１８の点灯中にスイッチ１３を押さないと、図示するとおり一定時間Ｔ経過後、第２光源１８を消灯する。
【００２２】
また、このときマイコン３２でＯＮ／ＯＦＦタイミングを制御して第２光源１８を徐々に明るくなるように点灯するので、外部照明用の第２光源１８を使用者の目に優しく点灯することができる。
【００２３】
図５には、図１の充電式腕時計に備える電圧検出素子３１と第２光源１８とのタイミングチャートを示す。
【００２４】
この図５から判るとおり、タイミング▲１▼で電圧検出素子３１の印加電圧が上昇して一定の判定電圧以上となったときは、電圧検出素子３１はＯＮとなり、第２光源１８を細かくＯＮ／ＯＦＦして明るく点灯する。
【００２５】
充電電流と二次電池３３を消費し、タイミング▲２▼で電圧検出素子３１の印加電圧が降下して一定の判定電圧以下となったときは、電圧検出素子３１はＯＦＦとなり、第２光源１８を粗くＯＮ／ＯＦＦして暗く点灯する。
【００２６】
同様に、タイミング▲３▼で電圧検出素子３１は再びＯＮとなり、第２光源１８を再度細かくＯＮ／ＯＦＦし、タイミング▲４▼で電圧検出素子３１は再びＯＦＦとなり、第２光源１８を再度粗くＯＮ／ＯＦＦする。これにより、第２光源１８は、充電中は点滅し、充電後は明るくなったり暗くなったりしながら点灯したままとする。そして、上述したように照明用を兼ねる第２光源１８を、充電状態を表示する表示手段としても利用する。
【００２７】
【発明の効果】
以上に説明したとおり、この発明によれば、充電器で充電する二次電池を備える被充電装置において、二次電池の満充電を検出する満充電検出手段と、その満充電検出手段で満充電を検出したとき電流負荷を作動して充電電流を消費するように制御するマイコンとを備えるので、電流負荷を作動して満充電後の充電電流を有効利用するとともに過充電を防止しながら、満充電検出後も充電回路を切断することなく充電電流を流し続けるから、二次電池を充電して正しく満充電とすることができる。
【００２８】
請求項２に係る発明によれば、満充電検出手段として、二次電池の電圧を検出する電圧検出素子を備えるので、簡単な構成で、二次電池の満充電を検出することができる。
【００２９】
請求項３に係る発明によれば、電流負荷として、充電状態を表示する表示手段を備え、請求項４に係る発明によれば、表示手段として光源を備えるので、充電電流を用いて表示手段で満充電を報知するようにし、満充電後の充電電流を有効利用することができる。
【００３０】
請求項５に係る発明によれば、充電式腕時計において、請求項１ないし４のいずれかに記載の被充電装置を備え、請求項６に係る発明によれば、電磁誘導方式を用いて充電を行うので、上記効果を達成した被充電装置を備える充電式腕時計を得ることができる。
【図面の簡単な説明】
【図１】この発明の一例である、電磁誘導方式を用いて充電を行う充電式腕時計の正面図である。
【図２】図１に示す充電式腕時計を充電する充電器の斜視図である。
【図３】それら充電式腕時計および充電器の電気ブロック図である。
【図４】その充電式腕時計に備えるスイッチと第１光源および第２光源のタイミングチャートである。
【図５】その充電式腕時計に備える電圧検出素子と、表示手段である第２光源のタイミングチャートである。
【符号の説明】
Ａ　　充電式腕時計
Ｂ　　充電器
１８　　表示手段である第２光源（電流負荷）
３１　　電圧検出素子（満充電検出手段）
３２　　マイコン
３３　　二次電池
【図１】
2004056908.tif 000003
【図２】
2004056908.tif 000004
【図３】
2004056908.tif 000005
【図４】
2004056908.tif 000006
【図５】
2004056908.tif 000007